(57)【要約】【課題】  取出し時の垂れ落ちによる未使用ペーパタオルの汚損を防止するとともに省スペース化を保持して使い勝手の向上を図る。【解決手段】  多数枚のペーパタオル７を１枚ずつ連続して取り出し可能に積層したペーパタオル積層体８を収納する本体２に扉体４と受け台５と組み合わせて構成する。本体２が前面を装填開口部１０としてペーパタオル積層体８をする収納空間部９の底面部に引出し口１６を形成し、受け台５が取付立壁部２６と側方立壁部２７との間に引出し空間部３１を構成して、引出し口１６からペーパタオル７が引き出されるようにする。【選択図】  図２
0003137582.tif 000002
【実用新案登録請求の範囲】
【請求項１】
開放された前面部を装填開口部として内部に構成した収納空間部に多数枚のペーパタオルを１枚ずつ連続して取り出すように積層してなるペーパタオル積層体を装填して底面部上に保持するとともに、上記底面部に幅方向の略中央部に位置してペーパタオルの幅よりもやや大きな長さを有して開口された引出し口から上記収納空間部に収納した上記ペーパタオル積層体の最下部のペーパタオルを下方へと引き出す本体と、
上記本体に回動自在に組み合わせて上記装填開口部を開閉する扉体と、
上面が上記本体の上記底面部の上記引出し口に沿った背面側領域とほぼ等しい外形を有する取付面を構成する取付立壁部と、この取付立壁部の長さ方向の両側前方部位にそれぞれの前面壁が上記取付面を上端として下方に向かうにしたがって次第に前面側へと突出する傾斜を付されることにより下方部位が上記本体の前面部よりもやや前方に位置される互いに平行に対峙して一体に連設された左右の側方立壁部とからなり、上記底面部に組み合わされて上記本体を所定の高さに支持する受け台とから構成され、
上記本体の上記底面部に対して上記受け台の上記取付立壁部を取り付けて組み合わせた状態で、上記受け台の上記取付立壁部と上記各側方立壁部に囲まれて前面部を開放した空間部が上記本体の上記引出し口と連通して引出し空間部を構成するとともに、上記各側方立壁部の上記前面壁が上記引出し口から引き出された上記ペーパタオルを保持して前面側へと導くガイド壁を構成することを特徴とするペーパタオルホルダ。
【請求項２】
上記本体には、上記引出し口を挟む前後領域にそれぞれ上記底面部と外周部の内面に跨りかつ上縁部が上記引出し口に向かって傾斜されて上記収納空間部に収納した上記ペーパタオル積層体を保持するとともに最下部のペーパタオルを上記引出し口に向かってガイドするガイドリブとして作用する複数の補強リブが一体に形成され、
前面領域の上記補強リブ群が、背面側領域の上記補強リブ群に対して大きな傾斜角を付されて形成されることを特徴とする請求項１に記載のペーパタオルホルダ。
【請求項３】
上記底面部は、上記本体と一体若しくは開放された底面部に組み合わされる底面部材によって構成されることを特徴とする請求項１又は請求項２に記載のペーパタオルホルダ。
【請求項４】
上記本体には、異なる幅のペーパタオルを積層した上記ペーパタオル積層体に応じて上記収納空間部の長さ方向の大きさを調整する調整手段が組み合わされることを特徴とする請求項１乃至請求項３のいずれか１項に記載のペーパタオルホルダ。
【請求項５】
上記受け台の上記取付立壁部には、上記本体と組み合わされた状態でそれぞれ上記引出し口の両端部と対向する外側に位置して前面側へと突出する保持凸部が上記取付面に一体に形成され、これら保持凸部が上記底面部の上記引出し口の両側かつ前面側領域を保持することを特徴とする請求項１乃至請求項４のいずれか１項に記載のペーパタオルホルダ。
【請求項６】
上記各保持凸部が、上記各側方立壁部の上記前面壁の外周縁に連設されて上記引出し空間部の側面壁を構成し、これら側面壁部位が上記引出し口から上記前面壁上に引き出される上記ペーパタオルの側縁を規制するガイド凸部として作用することを特徴とする請求項５に記載のペーパタオルホルダ。
【請求項７】
上記扉体が、上記本体の両側部位に対してそれぞれの一側部位を回動自在に片持ち支持されて上記装填開口部の略中央で突き合わされる一対の扉体からなる観音開き扉構造で構成されることを特徴とする請求項１乃至請求項６のいずれか１項に記載のペーパタオルホルダ。
【請求項８】
上記扉体には、上記本体の上記収納空間部内を透視可能とする残量識別部が設けられ、この残量識別部を介して上記ペーパタオル積層体の残量が識別されることを特徴とする請求項１乃至請求項７のいずれか１項に記載のペーパタオルホルダ。
【考案の詳細な説明】
【技術分野】
【０００１】
本考案は、多数枚のペーパタオルを積層したペーパタオル積層体を収納するとともに、最下部のペーパタオルから１枚ずつ順に取り出しが行われるようにするペーパタオルホルダに関する。
【背景技術】
【０００２】
ペーパタオルは、例えば手洗い後の使い捨て手ふき用として使用され、多数枚がそれぞれ相対する終端部と先端部を重ね合わせながら順次積層した積層体の状態とされて厚紙製の包装容器に収納したり包装されて提供される。ペーパタオルホルダは、包装容器等から取り出したペーパタオル積層体をそのまま内部の収納空間部に収納するとともに、収納空間部に設けた引出し口から１枚目のペーパタオルが引き出されるとその終端部に重ね合わされた先端部が添着して２枚目のペーパタオルが先端部を引出し口から突出されるようにする。
【０００３】
ペーパタオルホルダは、ペーパタオルを上方に引き出す場合に、濡れた手から水等が垂れ落ちて収納空間部に収納された未使用のペーパタオルを汚損させてしまうことがある。したがって、従来のペーパタオルホルダは、例えば不特定多数の人々が使用する各種施設のトイレ等に設置する場合に合わせて、ペーパタオルを下方へと引き出すようにする壁掛け型に構成したものが多い。ペーパタオルは、一般家庭用或いはレストラン等の各テーブルでも使用されるが、適当な卓上型ホルダが提供されていない。なお、特許文献１には、ロールペーパ用のホルダであるが、ロールペーパの先端部を筐体の前面に引き出すようにした卓上用と壁掛け用に兼用されるものが提案されている。
【０００４】
【特許文献１】登録実用新案第３０１３４２１号公報
【考案の開示】
【考案が解決しようとする課題】
【０００５】
ところで、ペーパタオルホルダについては、一般家庭用ばかりでなくレストラン或いは病院やホテル等の業務用としても適宜の場所に持ち運びが自在な卓上型の要求が大きい。ペーパタオルホルダは、卓上型の場合であっても、大きな設置スペースを不要とし、簡易な操作によりペーパタオルを１枚ずつ取り出すことが可能であるとともに取出し時の垂れ落ちによる未使用ペーパタオルの汚損発生が防止されるものでなくてはならない。  
したがって、本考案は、取出し時の垂れ落ちによる未使用ペーパタオルの汚損を防止するとともに省スペース化を保持して使い勝手の向上を図るペーパタオルホルダを提供することを目的に提案されたものである。
【課題を解決するための手段】
【０００６】
上述した目的を達成する本考案にかかるペーパタオルホルダは、内部に多数枚のペーパタオルを１枚ずつ連続して取り出すように積層してなるペーパタオル積層体を収納する本体に扉体と受け台とを組み合わせて構成され、もっぱら卓上型として使用されるが、必要に応じて受け台を組み合わせた状態のまま或いは取り外して壁掛け型としても使用することが可能である。ペーパタオルホルダは、本体が、開放された前面部を装填開口部として内部に構成した収納空間部に多数枚のペーパタオルを１枚ずつ連続して取り出すように積層してなるペーパタオル積層体を装填して底面部上に保持するとともに、底面部に幅方向の略中央部に位置してペーパタオルの幅よりもやや大きな長さを有して開口された引出し口から収納空間部に収納したペーパタオル積層体の最下部のペーパタオルを下方へと引き出すようにする。ペーパタオルホルダは、本体に扉体が回動自在に組み合わされ、この扉体により使用時には装填開口部を閉塞するとともに装填開口部を開放した状態でペーパタオル積層体の補充装填や収納空間部の清掃等が行われる。ペーパタオルホルダは、受け台が所定の高さを有する取付立壁部と、この取付立壁部の長さ方向の両側前方部位に平行に対峙して一体に連設された左右の側方立壁部とから構成され、底面部に組み合わされて本体を所定の高さに支持する。取付立壁部は、上面が本体の底面部の引出し口に沿った背面側領域とほぼ等しい外形を有する取付面を構成し、底面部に組み合わされる。各側方立壁部は、取付立壁部の長さ方向の両側前方部位にそれぞれの前面壁が取付面を上端として下方に向かうにしたがって次第に前面側へと突出する傾斜を付されることにより下方部位が本体の前面部よりもやや前面側に位置される。
【０００７】
ペーパタオルホルダにおいては、底面部に取付立壁部を取り付けることにより、所定高さの受け台上に本体が組み合わされて構成される。ペーパタオルホルダにおいては、本体と受け台を組み合わせた状態で本体の下方部位に受け台の取付立壁部と各側方立壁部に囲まれて前面側を開放した空間部がペーパタオルを引き出す本体の引出し口と連通して引出し空間部を構成することで、卓上型として使用してもペーパタオルの下方引き出しが行われる。ペーパタオルホルダにおいては、受け台の各側方立壁部のそれぞれの前面壁が、本体の引出し口から引き出されたペーパタオルを保持して前面側へと導くガイド壁として作用する。ペーパタオルホルダにおいては、引出し空間部に引き出されたペーパタオルを把持して引張り操作を行うことにより、１枚ずつ確実に取り出が行われるとともに濡れた手から垂れ落ちる水等により収納空間部に収納された未使用のペーパタオルが汚損されることが防止される。
【０００８】
ペーパタオルホルダにおいては、本体の収納空間部に、引出し口を挟む前後領域に位置してそれぞれ底面部と外周部の内面に跨りかつ上縁部が引出し口に向かって傾斜された複数の補強リブを一体に形成する。ペーパタオルホルダにおいては、前面側領域の補強リブ群を、背面側領域の補強リブ群に対して大きな傾斜角を付して形成する。ペーパタオルホルダにおいては、これら補強リブにより収納空間部に収納したペーパタオル積層体を保持するとともに、これら補強リブが最下部のペーパタオルを引出し口に向かってガイドするガイドリブとして作用する。ペーパタオルホルダにおいては、複数の補強リブにより底面部や外周部を補強して薄肉化が図られるようにするとともに収納空間部に収納したペーパタオル積層体が底面部上において各補強リブ間に構成される適当な間隙を介して保持されることにより最下部ペーパタオルが底面部に貼り付いてしまうことが防止されるようにする。ペーパタオルホルダにおいては、上述した構成を有する底面部を、本体と一体若しくは開放された底面部に組み合わされる底面部材によって構成する。
【０００９】
ペーパタオルホルダは、本体の収納空間部に、その長さ方向の大きさを調整する調整手段が組み合わされる。調整手段は、例えば収納空間部の長さ方向の両側に位置して対向間隔を調整自在とされて組み合わされる一対の衝立部材により構成し、異なる幅のペーパタオルを積層したペーパタオル積層体を使用する場合でも引出し口から確実に引き出されるようにガイドする。
【００１０】
ペーパタオルホルダにおいては、受け台の取付立壁部に、本体と受け台とを組み合わせた状態でそれぞれ引出し口の両端部と対向する外側に位置して前面側へと突出する保持凸部を取付面に一体に形成する。ペーパタオルホルダにおいては、受け台の取付立壁部が取付面を引出し口の背面側領域に対応位置させて本体の底面部に固定するが、引出し口の両側でその前面側領域に突出する保持凸部により底面部に対して引出し口の前面側領域も保持する。ペーパタオルホルダにおいては、かかる保持構造によりペーパタオルを引出し操作の際に本体に作用される前面側への力が受け台側に垂直方向の力として分力されるようにし、受け台を安定化させる大型化や重りの内蔵等の対応を不要とする。
【００１１】
ペーパタオルホルダにおいては、受け台の取付立壁部に形成した各保持凸部が、各側方立壁部の前面壁の外周縁に連設されて引出し空間部の側面壁を構成し、これら側面壁部位が引出し口から前面壁上に引き出されるペーパタオルの側縁を規制するガイド凸部を構成する。ペーパタオルホルダにおいては、本体の引出し口からペーパタオルが前面壁上に保持されて前面側へと引き出されるが、各ガイド凸部により両側縁を規制されることで安定した姿勢で取り出しが行われるようにする。
【００１２】
ペーパタオルホルダは、本体の両側部位に対してそれぞれの一側部位が回動自在に片持ち支持されて装填開口部を開閉する観音開き扉構造を構成する一対の扉体を備える。ペーパタオルホルダは、かかる扉構造により、場所を取らずに装填開口部を大きく開放することが可能となり、ペーパタオル積層体を崩さずに収納空間部内への装填操作が簡易に行われるとともに収納空間部の清掃等も容易に行うことが可能である。また、ペーパタオルホルダは、扉体に本体の収納空間部内を透視可能とする残量識別部が設けられる。残量識別部は、例えば高さ方向のスリットを形成するとともにこのスリットに透明板をはめ込んで構成し、扉体を開閉することなくペーパタオルの残量を確認可能とする。
【考案の効果】
【００１３】
以上のように構成された本考案にかかるペーパタオルホルダによれば、ペーパタオル積層体を収納空間部に収納した本体に受け台を組み合わせて卓上型として使用することにより任意の場所に持ち運んで広い場所を占有することも無く設置され、受け台の引出し空間部からペーパタオルを１枚ずつ簡単に取り出すことが可能であることから使い勝手の向上が図られるとともに、ペーパタオルを取り出す際に濡れた手から垂れ落ちる水により未使用のペーパタオルが汚損されることも無く清潔かつ安全に使用することが可能である。
【考案を実施するための最良の形態】
【００１４】
以下、本考案の実施の形態として図面に示したペーパタオルホルダ１について詳細に説明する。ペーパタオルホルダ１は、図１乃至図４に示すように本体２と、底面体３と、左右一対の扉体４Ｌ、４Ｒ（以下、個別に説明する場合を除いて扉体４と総称する。）と、受け台５と、滑止め体６とから構成する。ペーパタオルホルダ１は、詳細を後述するように本体２の内部に多数枚のペーパタオル７を１枚ずつ連続して取り出すように積層してなるペーパタオル積層体８を収納する。ペーパタオルホルダ１は、本体２から最下部ペーパタオル７Ａを引き出すと、このペーパタオル７Ａに添着して次のペーパタオル７の先端が引き出されるようにする。
【００１５】
ペーパタオルホルダ１は、適宜の場所に手軽に持ち運びすることが可能であり、一般家庭用ばかりでなくレストラン或いはホテル等の業務用としても用いられる。ペーパタオルホルダ１は、テーブル等に載置する卓上型として使用されるが、必要に応じて壁面等に取り付けて壁掛け型として使用することも可能である。ペーパタオルホルダ１は、卓上型として使用する場合でもペーパタオル７が本体２の下方へと引き出されることにより、濡れた手から垂れ落ちる水等により未使用のペーパタオル７が汚損されることも無く清潔かつ安全に使用することが可能である。
【００１６】
本体２は、例えばＡＢＳ樹脂（アクリロニトリル−ブタジエン−スチレン樹脂）等の合成樹脂材を素材として図５乃至図７に示すように前面部と底面部が開口され、内部空間部がペーパタオル積層体８の収納空間部９として構成される略矩形箱状に形成される。本体２は、詳細を後述するように開口された前面部がペーパタオル積層体８を収納空間部９に装填する装填開口部１０を構成して扉体４により開閉されるとともに、図５及び図７に示すように補強用に前面側部位に横梁状の底面壁２Ａを残して底面部に底面体３を組み合わせる組合せ開口部１１を形成する。本体２は、両側面部の下方部位が底面部に向かって円弧状に回り込むことにより、この回込み部位が組合せ開口部１１を装填開口部１０に対して長さ方向の開口寸法をやや小さくして受け凸縁部１１Ｌ、１１Ｒを構成する。本体２は、後述するように組合せ開口部１１に組み合わされる底面体３の底部を保持する。
【００１７】
なお、ペーパタオルホルダ１においては、本体２の組合せ開口部１１に詳細を後述する別部材の底面体３を組み合わせるようにしたが、かかる構成に限定されないことは勿論である。ペーパタオルホルダ１は、本体２の底面部に底面体３と同等の構成を一体に形成することも可能である。
【００１８】
本体２は、図５及び図６に示すように背面壁２Ｂに、上方部位において左右に離間する一対の長孔と下方部位の中央部位に位置される長孔とからなる壁掛け孔１２を形成し、これら壁掛け孔１２を介してペーパタオルホルダ１が壁面等に取り付けて壁掛け型として使用することを可能とする。本体２は、図３及び図７に示すように、背面壁２Ｂの外側面に各壁掛け孔１２を縁取るようにしてそれぞれリブ１２Ａが一体に形成されている。本体２は、これらリブ１２Ａによりペーパタオルホルダ１が壁掛け型として使用される場合に、壁面の凹凸に対しても背面壁２Ｂの全面接触が回避されてガタツキの発生を防止して安定した状態で設置されるようにする。
【００１９】
本体２には、図５及び図７に示すように中央上部に背面壁２Ｂと天井壁２Ｕに跨り、内部に外面に開口する手持ち凹部１３Ａを構成する手持ち部１３が一体に形成されている。本体２は、使用者がペーパタオルホルダ１を適宜の場所に持ち運びする際に、手持ち部１３が手持ち凹部１３Ａに指先を入れて把持されることで滑り落とすことなく手軽に利用されるようにする。
【００２０】
本体２には、天井壁２Ｕの上面にやや前面側寄りの両側面部位に位置して左右一対の上部軸受けボス部１４Ｌ、１４Ｒ（以下、個別に説明する場合を除いて上部軸受けボス部１４と総称する。）が一体に形成されている。本体２には、組合せ開口部１１を構成する底面壁２Ａに、天井壁２Ｕ側の各軸受けボス部１４と対向して左右一対の下部軸受けボス部１５Ｌ、１５Ｒ（以下、個別に説明する場合を除いて下部軸受けボス部１５と総称する。）が一体に形成されている。本体２には、左側の上部軸受けボス部１４Ｌと下部軸受けボス部１５Ｌとにより扉体４Ｌを回動自在に支持するとともに右側の上部軸受けボス部１４Ｒと下部軸受けボス部１５Ｒにより扉体４Ｒを回動自在に支持する。
【００２１】
本体２には、図２及び図３に示すように組合せ開口部１１に底面体３が組み合わされて開放された底面部を構成する。底面体３も、例えばＡＢＳ樹脂等の合成樹脂材を素材として、図８乃至図１０に示すように略横長矩形の底面壁３Ａの外周縁に沿って全周に亘り前面外周壁３Ｆ、背面外周壁３Ｂ、左右側面外周壁３Ｌ、３Ｒを一体に立設した全体が略横長矩形の浅皿状に形成される。底面体３は、外周壁部位が本体２の収納空間部９の水平断面寸法とほぼ等しい外形寸法を有するとともに、底面壁３Ａ部位が上述した組合せ開口部１１の開口寸法とほぼ等しい外形寸法を有して形成される。したがって、底面体３には、図８に示すように左右側面外周壁３Ｌ、３Ｒと底面壁３Ａとの間に段部３Ｃが形成され、この段部３Ｃが本体２の組合せ開口部１１の開口縁に構成された上述した受け凸縁部１１Ｌ、１１Ｒ上に保持されて本体２に組み合わされる。
【００２２】
底面体３には、底面３Ａの幅方向の略中央部に位置してペーパタオル７を引き出す引出し口１６が形成されるとともに、後述するように受け台３を固定するための左右一対の取付け孔１７Ｌ、１７Ｒや本体２の底面壁２Ａに位置決め固定するための位置決め凸部１８が形成されている。底面体３は、引出し口１６が全長をペーパタオル７の幅よりもやや大きな長さを有し、図８乃至図１０に示すように両側部位がそれぞれ幅狭部１６Ｌ、１６Ｒとされるとともに中央部位が幅広部１６Ｃとして構成される。底面体３は、図９に示すように底面３Ａの引出し口１６の幅広部１６Ｃを挟む前後方向の両側部位が略平坦面とされるとともに、図１０に示すように引出し口１６の幅狭部１６Ｌ、１６Ｒを挟む前後方向の両側部位が次第に下方に向かって傾斜する傾斜面として構成される。底面体３は、かかる底面３Ａと引出し口１６の構成により、後述するようにペーパタオル積層体８の最下部のペーパタオル７Ａが引出し口１６からスムーズに引き出されるようにする。
【００２３】
底面体３には、図８乃至図１０に示すように底面壁３Ａと前面外周壁３Ｆと背面外周壁３Ｂの内面とに跨ってそれぞれ多数の前面側補強リブ１９Ｆと背面側補強リブ１９Ｂ（以下、個別に説明する場合を除いて補強リブ１９と総称する。）が一体に形成されている。底面体３は、各補強リブ１９が、それぞれ引出し口１６に対して直交方向でありかつ次第に高さが小さくなる傾斜リブとして構成される。底面体３は、各前面側補強リブ１９Ｆが背面側補強リブ１９Ｂに対して大きな傾斜角度となるようにして形成される。
【００２４】
底面体３には、図８及び図９に示すように前面外周壁３Ｆの中央からやや左側に位置して高さ方向の切欠き２０が形成されている。底面体３は、後述するように本体２に組み合わされて収納空間部９の底面を構成して補強リブ１９上にペーパタオル積層体８を保持するが、切欠き２０が左蓋体４Ｌを介して外部から視認されることでペーパタオル積層体８の残量確認を可能とする。底面体３は、傾斜角度を異にした上述した前面側補強リブ１９Ｆと背面側補強リブ１９Ｂを形成してペーパタオル積層体８を保持することにより、ペーパタオル積層体８から最下部ペーパタオル７Ａが引出し口１６を介して前面側へと導かれて引き出されるようにするとともに底面壁３Ａ上に貼り付いて詰まりが発生することを防止する。
【００２５】
以上のように構成された底面体３は、背面外周壁３Ｂ側を装填側として本体２に対して装填開口部１０を介して収納空間部９内に装填され、組合せ開口部１１を閉塞するようにして位置決めして組み合わされる。底面体３は、取付け孔１７に止めネジがねじ込まれて、図２及び図３に示すように収納空間部９の底部を構成して本体２に固定される。底面体３は、多数の補強リブ１９を形成した底面壁３Ａ上に装填開口部１０を介して収納空間部９内に装填されたペーパタオル積層体８を保持する。
【００２６】
ペーパタオルホルダ１には、サイズを異にするペーパタオル積層体８Ａ、８Ｂを用いることを可能とし、これらペーパタオル積層体８Ａ、８Ｂが収納空間部９内において安定した状態で保持されるようにするために底面体３に左右一対の間隔保持部材２１Ｌ、２１Ｒ（以下、個別に説明する場合を除いて間隔保持部材２１と総称する。）を組み合わせるようにしてもよい。間隔保持部材２１は、適宜の合成樹脂材や金属板等を素材とし、図１１（Ａ）、同図（Ｂ）及び図１２に示すように左右同一形状で形成される。
【００２７】
各間隔保持部材２１は、底面体３の奥行き寸法よりもやや小幅であり収納空間部９の高さ寸法よりも低い適宜の高さを有する主面部２１Ａと、この主面部２１Ａの下端縁に沿って直角に折曲されて一体に形成された受け板部２１Ｂと、主面部２１Ａの両側端縁と受け板部２１Ｂに跨って筋交い状に一体に形成された両側板部２１Ｃ、２１Ｄとから構成される。各間隔保持部材２１には、図１１（Ａ）、同図（Ｂ）及び図１２に示すように主面部２１Ａの受け板部２１Ｂを形成した側面側の上方に位置して、それぞれ保持ピン２２Ｌ、２２Ｒ（以下、個別に説明する場合を除いて保持ピン２２と総称する。）が設けられている。各保持ピン２２は、受け板部２１Ｂの幅とほぼ同長に形成される。
【００２８】
以上のように構成された間隔保持部材２１は、主面部２１Ａを対向させ、受け板部２１Ｂを底面壁３Ａ上に載置して底面体３に組み合わされる。間隔保持部材２１は、底面体３の底面壁３Ａ上に、側面外周壁３Ｌ、３Ｒと両側の補強リブ１９との間に構成される間隙に受け板部２１Ｂを嵌挿させて底面体３に組み合わされる。間隔保持部材２１は、この状態で収納空間部９を構成する本体２の側面壁の内面に対して受け板部２１Ｂと保持ピン２２が突き当てられる。間隔保持部材２１は、図示を省略するが保持ピン２２が本体２の側面壁に形成した段部に突き当てられることにより、収納空間部９内において底面体３が上下方向にぐらつくことを防止する。
【００２９】
左右一対の間隔保持部材２１Ｌ、２１Ｒは、大型サイズのペーパタオル積層体８Ａを用いる場合には、図１１に示すようにそれぞれの側板部２１Ｃ、２１Ｄを互いに内側に位置させて底面体３に組み合わされる。左右一対の間隔保持部材２１Ｌ、２１Ｒは、この状態でそれぞれの主面部２１Ａ、２１Ａが底面体３の側方外周壁の内面と当たって同図に示すようにペーパタオル積層体８Ａの長さとほぼ等しい対向間隔Ｌ１に設定される。左右一対の間隔保持部材２１Ｌ、２１Ｒは、これにより主面部２１Ａ、２１Ａの内面が大型サイズのペーパタオル積層体８Ａの両側面と高さ方向のほぼ全域に亘って当たり、収納空間部９において安定した姿勢に保持する。
【００３０】
左右一対の間隔保持部材２１Ｌ、２１Ｒは、小型サイズのペーパタオル積層体８Ｂを用いる場合には、図１１（Ｂ）に示すようにそれぞれの側板部２１Ｃ、２１Ｄを互いに外側に位置させて底面体３に組み合わされる。左右一対の間隔保持部材２１Ｌ、２１Ｒは、この状態でそれぞれの側板部２１Ｃ、２１Ｄが底面体３の側方外周壁の内面と当たって同図に示すようにペーパタオル積層体８Ｂの長さとほぼ等しい対向間隔Ｌ２に設定される。左右一対の間隔保持部材２１Ｌ、２１Ｒは、これにより主面部２１Ａ、２１Ａの内面が小型サイズのペーパタオル積層体８Ｂの両側面と高さ方向のほぼ全域に亘って当たり、収納空間部９において安定した姿勢に保持する。
【００３１】
ペーパタオルホルダ１においては、上述したように左右一対の間隔保持部材２１Ｌ、２１Ｒを用いて収納空間部９の長さ調整を行うように構成したが、かかる間隔保持部材２１を用いた調整構造に限定されないことは勿論である。ペーパタオルホルダ１においては、例えば本体２の背面壁２Ｂに水平方向の移動ガイド溝を形成し、この移動ガイド溝にスライド自在に支持した間隔保持部材を調整移動することにより収納空間部９の長さ調整を行うように構成してもよい。ペーパタオルホルダ１は、もっぱら同一仕様のペーパタオル積層体８を用いる場合に、上述した間隔保持部材２１や間隔調整構造を不要とする。
【００３２】
ペーパタオルホルダ１は、図１及び図２に示すように本体２に対して装填開口部１０を開閉する左右一対の扉体４Ｌ、４Ｒが回動自在に組み合わされる。扉体４は、本体２に対して左扉体４Ｌが装填開口部１０の左側領域を開閉するとともに右扉体４Ｒが右側領域を開閉する。扉体４は、例えば本体２と同一素材の合成樹脂材により、装填開口部１０の半分領域を閉塞するに足る外形を有する主面部４Ａの外周に沿って天井部４Ｕと、底面部４Ｃと、互いの突合せ部位側を開放した側面部４Ｂとからなる全体が略矩形の浅皿状に形成される。
【００３３】
各扉体４には、側面部４Ｂ側に位置しかつ上述した本体２の上部軸受けボス部１４に対向して天井部４Ｕに上部支軸２３Ｌ、２３Ｒ（以下、個別に説明する場合を除いて上部支軸２３と総称する。）が一体に形成されるとともに、下部軸受けボス部１５に対向して底面部４Ｃに下部支軸２４Ｌ、２４Ｒ（以下、個別に説明する場合を除いて下部支軸２４と総称する。）が一体に形成される。各扉体４は、上部支軸２３と下部支軸２４を互いに同軸上に位置して互いに対向して形成する。
【００３４】
各扉体４は、上部支軸２３が上部軸受けボス部１４の軸孔に嵌合されるとともに下部支軸２４が下部軸受けボス部１５の軸孔に嵌合されることにより、本体２に対して回動自在に組み合わされる。各扉体４は、主面部４Ａを装填開口部１０に対向させるように回動した状態で、それぞれの開放された側縁部が突き合わされて共同して装填開口部１０を閉塞する。
【００３５】
ペーパタオルホルダ１は、上述したように左右一対の扉体４Ｌ、４Ｒが、本体２の両側部位に対してそれぞれの一側部位を回動自在に片持ち支持されて装填開口部１０を開閉することでいわゆる観音開き扉構造を構成する。ペーパタオルホルダ１は、かかる観音開き扉構造を採用することにより、場所を取らずに装填開口部１０を大きく開放してペーパタオル積層体８を崩すことなく収納空間部９内への装填操作が簡易に行われるようになり使い勝手の向上が図られる。
【００３６】
左扉体４Ｌには、図１及び図４に示すように開放された側縁部に沿って主面部４Ａ及び天井部４Ｕと底面部４Ｃに跨って一体化された残量識別部２５が設けられる。左扉体４Ｌは、例えば主面部４Ａ等に高さ方向のスリットを形成し、このスリットに透明若しくは半透明の合成樹脂材により形成された部材をはめ込んで固定することにより、残量識別部２５を構成する。残量識別部２５は、左扉体４Ｌが装填開口部１０を閉塞した状態で底面体３に形成した切欠き２０と対向位置し、収納空間部９内を高さ方向のほぼ全域に亘って透視可能とすることにより、収納空間部９に収納されたペーパタオル７の残量を確認可能とする。なお、残量識別部２５については、かかる構成に限定されず、扉体４に収納空間部９内を透視可能とする適宜の構成を備えるようにすればよい。
【００３７】
ペーパタオルホルダ１は、上述したように本体２に対して底面体３と扉体４及び間隔保持部材２１を組み合わせ、この組合せ体を受け台５により所定の高さ位置に保持する。受け台５は、例えば本体２と同一の合成樹脂材（ＡＢＳ樹脂材）を素材として、図１及び図１２乃至図１４に示すように所定の高さを有して一体に形成された取付立壁部２６と、左右一対の側方立壁部２７Ｌ、２７Ｒ（以下、個別に説明する場合を除いて側方立壁部２７と総称する。）とからなる。
【００３８】
受け台５は、取付立壁部２６が、その上面を底面体３に対して引出し口１６の背面側領域上において引出し口１６の長さ方向に略平行状態で取り付けられる幅とした立壁部として形成される。受け台５は、各側方立壁部２７が、取付立壁部２６の両側で底面体３に対して引出し口１６の両端部に対向する側方領域において前面側に向かって直交状態で連設され、所定の対向間隔を以って対向する立壁部からなる。受け台５は、取付立壁部２６と各側方立壁部２７とで構成する上面が、上述した底面体３の引出し口１６を囲む背面側領域と側方領域とで構成される略コ字状の平面領域に対応するやや幅狭の略コ字状を呈して形成される。  
受け台５には、図１２に示すように取付立壁部２６と各側方立壁部２７とで構成する上面を囲んで外周縁に沿って位置決め凸縁部２８が形成されている。受け台５には、図１２に示すように立壁部２７の上面に上述した底面体３の取付け孔１７に対応位置して左右一対の取付けボス部２９Ｌ、２９Ｒが形成されている。受け台５は、取付立壁部２６と各側方立壁部２７が、図１４に示すように内部を空洞とした立壁部として形成されることにより全体の軽量化と低コスト化が図られている。
【００３９】
受け台５には、取付立壁部２６の上面に、長さ方向の両側に位置し各側方立壁部２７の上面に沿って前面側に延長されて突出する左右一対の保持凸部３０Ｌ、３０Ｒが一体に形成されている。これら保持凸部３０Ｌ、３０Ｒは、後述するように受け台５を底面体３に組み合わせた状態で、引出し口１６の両端部とそれぞれ対向して延在し前方側へと突出する凸部からなる。保持凸部３０Ｌ、３０Ｒは、後述するように受け台５が、取付立壁部２６と各側方立壁部２７の上面を取付面として底面体３に対して引出し口１６を囲む背面側領域と側面領域に固定されるが、引出し口１６の両端部に沿って前面側領域に突出して底面体３を保持する。
【００４０】
保持凸部３０Ｌ、３０Ｒは、図１２及び図１３に示すようにそのまま下方へと延長されて各側方立壁部２７の前面壁（上縁壁）２７ＬＡ、２７ＲＡ（以下、前面壁２７Ａと総称する。）の外周縁に連設されることにより、後述するように受け台５の前面部に構成されるペーパタオル７の引出し空間部３１の側面壁を構成する。保持凸部３０Ｌ、３０Ｒは、上述したように引出し口１６の両端部に沿って形成されることにより、ペーパタオル７の横幅よりも大きい対向間隔に設定される。
【００４１】
受け台５は、各側方立壁部２７が、図２に示すように相対する内側面壁を引出し口１６の長さよりもやや狭い対向間隔となるようにそれぞれ所定の幅を有して形成される。各側方立壁部２７は、図１３及び図１４に示すように背面側を直角形状としかつ前面側が上述したように上面から底部に向かって次第に前面側へと突出する略変形台形の側面形状を呈して形成される。側方立壁部２７は、図１２乃至図１４に示すようにそれぞれの前面壁２７Ａが緩やかな円弧状に形成されている。なお、保持凸部３０Ｌ、３０Ｒも、前面壁２７Ａに倣って円弧状に形成されている。
【００４２】
受け台５は、上述したように各側方立壁部２７を、それぞれの底部が本体２の前面よりも前面側へと突出された形状として形成したことにより、テーブル等に対して大きな接地面積を確保し、ペーパタオルホルダ１がテーブル等に安定した状態で設置されるようにする。受け台５は、取付立壁部２６と各側方立壁部２７の上面を取付面として底面体３に対して引出し口１６を囲む背面側領域と側面領域に固定されるとともに、保持凸部３０Ｌ、３０Ｒにより引出し口１６の両端部に沿った前面側領域を保持する。
【００４３】
ペーパタオルホルダ１においては、後述するようにペーパタオル７を引出し操作することにより、受け台５により所定の高さ位置に組み合わされた本体２に対して前面下方側への力が作用されることになる。ペーパタオルホルダ１においては、上述した各側方立壁部２７及び保持凸部３０Ｌ、３０Ｒとによる保持構造により、省スペース化と軽量化とを図った受け台５が本体２を安定した状態に保持する。受け台５は、保持凸部３０Ｌ、３０Ｒにより本体２を引出し口１６の前面側の領域において保持することにより、ペーパタオル７を引出し操作する際に本体２に作用される前面下方側への力が垂直方向の力として分力されるようにする。受け台５は、上述したように取付立壁部２６と各側方立壁部２７を空洞として軽量化するとともにその下方部内にペーパタオル７が引き出されるようにして省スペース化を図っても、ペーパタオルホルダ１が安定して設置されるようにする。
【００４４】
以上のように構成された受け台５は、図３に示すように本体２に一体化された底面体３に対して、その位置決め段部１８に位置決め凸縁部２８を相対係合してその底面に位置決めが図られて組み合わされ、取付けボス部２９に取付ネジをねじ込むことにより底面体３に固定される。受け台５は、各側方立壁部２７が、底部を本体２よりもやや大きな奥行に形成されることにより、底面体３を介して本体２と組み合わせた状態で図１及び図３に示すように底部が本体２の前面部、すなわち扉体４の主面部４Ａよりもやや前面側に位置する。受け台５は、その底部と底面体３の底面壁との間に本体２の組合せ開口部１１を構成する受け凸縁部１１Ｌ、１１Ｒが介在することで、底面体３を介して本体２との組み合わせが行われるようにする。
【００４５】
受け台５は、図１５に示すように、取付立壁部２６と各側方立壁部２７に囲まれて前面側を開放した空間部が引出し口１６と対向するように底面体３と組み合わされる。受け台５は、各側方立壁部２７の上面が底面体３に対して引出し口１６の幅狭部１６Ｌ、１６Ｒと対向する背面側領域に位置されて組み合わされる。受け台５は、前面側に構成した空間部が本体２側の引出し口１６と連通して収納空間部９から引き出されたペーパタオル７を受け入れする引出し空間部３１を構成する。受け台５は、底面体３に対して、上述したように各側方立壁部２７の上面が引出し口１６の中央から背面側に位置しかつ対向間隔を引出し口１６の長さ、換言すればペーパタオル７の幅よりも小さく設定されている。
【００４６】
受け台５は、各側方立壁部２７の前面壁２７ＬＡ、２７ＲＡが、引出し口１６から引出し空間部３１に引き出されるペーパタオル７の両側部位を保持して前面側へ向かって送り出すようにするガイド壁を構成する。受け台５は、各側方立壁部２７が、上述したように前面壁２７ＬＡ、２７ＲＡを円弧状に形成したことによりペーパタオル７が引出し口１６から引出し空間部３１にスムーズに引き出されるようにする。受け台５は、各側方立壁部２７の前面壁２７ＬＡ、２７ＲＡ上に保持するペーパタオル７の両側縁部を保持凸部３０Ｌ、３０Ｒにより規制して安定した姿勢で取り出しが行われるようにする。
【００４７】
ペーパタオルホルダ１は、図１及び図２に示すように受け台５の底部に滑止め体６が組み合わされる。滑止め体６は、難滑特性かつ弾性を有する例えばゴム材や適宜の合成樹脂材等により形成され、全体が受け台５の底部の形状と略等しいコ字状の環状体からなり、取付立壁部２６や各側方立壁部２７の下端縁が相対係合する係合溝が全周に亘って形成されている。ペーパタオルホルダ１は、滑止め体６を受け台５に組み合わせることにより、テーブル等に安定した状態で載置されるようになる。なお、滑止め体６は、上述した構成に限定されず、例えば弾性素材によりシート状に形成されて受け台５の底部に接合されるようにしてもよい。滑止め体６は、例えば受け台５の底部を粗面に形成して難滑特性を付与するように構成した場合には、特に設けなくともよい。
【００４８】
ペーパタオルホルダ１は、以上のように構成した構成各部材が、以下の手順により組み合わされる。ペーパタオルホルダ１においては、本体２に対して底面体３が、装填開口部１０から収納空間部９内に装填して底面壁２Ａに形成した組合せ開口部１１に組み合わせる。ペーパタオルホルダ１においては、組合せ開口部１１の受け凸縁部１１Ｌ、１１Ｒにが段部３Ｃが保持されて、本体２に対して底面体３が組み合わされ、収納空間部９の底部においてその中央部位に横長の引出し口１６を構成する。ペーパタオルホルダ１においては、使用するペーパタオル７の仕様に応じて底面体３に対して適宜の姿勢で各間隔保持部材２１が組み合わされる。
【００４９】
ペーパタオルホルダ１においては、本体２に対して底面体３を介して受け台５がその底部に組み合わされる。ペーパタオルホルダ１においては、受け台５が位置決め段部１８に位置決め凸縁部２８を相対係合するとともに取付けボス部２９を取付孔１７に対向位置させて底面体３の底面に位置決めして組み合わされる。ペーパタオルホルダ１においては、取付けボス部２９から取付孔１７に取付ネジをねじ込むことにより底面体３に対して受け台５が固定される。ペーパタオルホルダ１においては、底面体３と受け台５との間に受け凸縁部１１Ｌ、１１Ｒが挟み込まれるように介在することで、底面体３を介して本体２と受け台５とが組み合わされる。
【００５０】
なお、ペーパタオルホルダ１においては、底面体３を介して本体２に対して受け台５を取付ネジにより固定するようにしたが、本体２又は底面体３と受け台５との固定構造はかかる構造に限定されないことは勿論である。ペーパタオルホルダ１においては、例えば本体２又は底面体３と受け台５の相対する部位に、一方側に先端部に係合部を形成した複数個の高さ方向の係合凸片を一体に形成するとともに他方側にこれら係合凸片に対応して係合孔を形成し、各係合凸片の係合部を相対する係合孔に係合することによりいわゆるワンタッチ操作で一体に組み合わせるようにしてもよい。また、ペーパタオルホルダ１においては、例えば底面体３の底面に幅方向に離間して前後方向の断面蟻溝状のスライドガイド溝を形成するとともに受け台５側の天井面に各スライドガイド溝に対向して断面楔状のスライドガイドリブを一体に形成する。ペーパタオルホルダ１においては、受け台５を本体２に対してその背面側から、底面体３のスライドガイド溝にスライドガイドリブを相対係合させて前方側へとスライド操作することにより一体に組み合わせるようにしてもよい。
【００５１】
ペーパタオルホルダ１においては、本体２に対して受け台５を組み合わせた状態で、底面体３の下方部位に取付立壁部２６と各側方立壁部２７に囲まれて前面側を開放し引出し口１６と連通する引出し空間部３１が構成される。ペーパタオルホルダ１においては、本体２に対して装填開口部１０を開閉する各扉体４が組み合わされる。ペーパタオルホルダ１においては、各扉体４が本体２の前面側から、天井部４Ｕと底面部４Ｃとをやや押し広げるようにしてそれぞれに形成した上部支軸２３を相対する上部軸受けボス部１４の軸孔に嵌合するとともに下部支軸２４を相対する下部軸受けボス部１５の軸孔に嵌合することにより組み合わせる。ペーパタオルホルダ１においては、受け台５に対してその底部に滑止め体６が組み合わされる。
【００５２】
以上の手順を経て構成部材を組み合わせたペーパタオルホルダ１においては、各扉体４を回動操作して開放された装填開口部１０から本体２の収納空間部９内にペーパタオル積層体８が装填される。ペーパタオルホルダ１においては、ペーパタオル積層体８が間隔保持部材２１により外周部を保持されて補強リブ１９上に載置される。ペーパタオルホルダ１においては、上述した底面体３の底面３Ａの傾斜形状と中央部を幅広とした引出し口１６の形状と補強リブ１９の傾斜形状とにより、ペーパタオル積層体８の最下部ペーパタオル７Ａが引出し口１６に押圧された状態で収納空間部９内に安定した状態で収納される。
【００５３】
ペーパタオルホルダ１においては、本体２に対して各扉体４の回動操作が行われて装填開口部１０が閉じられる。ペーパタオルホルダ１においては、底面体３に形成した切欠き２０と扉体４Ｌに設けた残量表示部２５を介して本体２の収納空間部９内の状態を確認することが可能でありペーパタオル積層体８の有無や残量確認が行われ、必要に応じて各扉体４を開いてペーパタオル積層体８の補充を行う。ペーパタオルホルダ１においては、本体２に対して観音開き扉構造を構成して一対の扉体４を組み合わせたことにより、大きな設置スペースを占有することなくかつ大きな装填開口部１０を構成してペーパタオル積層体８の装填操作を行うことが可能であり使い勝手の向上が図られる。
【００５４】
ペーパタオルホルダ１においては、本体２の手持ち部１３により適宜の場所へと持ち運ばれて、設置される。ペーパタオルホルダ１においては、上述した受け台５の形状により大きな設置面積を確保されるとともに滑止め体６による滑止め作用により、テーブル等に安定した状態で設置される。ペーパタオルホルダ１においては、本体２に設けた壁掛け孔１２を利用して壁掛け型として使用することも可能である。
【００５５】
ペーパタオルホルダ１においては、図１に示すように上述した構造により引出し口１６に押圧された最下部ペーパタオル７Ａの先端部を引き出した状態で設置される。ペーパタオルホルダ１においては、引出し口１６から引き出されたペーパタオル７Ａの先端部が、受け台５の各側方立壁部２７の前面壁２７ＬＡ、２７ＲＡ上にその円弧状の形状に倣って前面側へと湾曲するとともに両側縁部を保持凸部３０により係止された状態で引出し空間部３１に垂れ下がる。
【００５６】
ペーパタオルホルダ１においては、引出し空間部３１に垂れ下がった先端部を把持してペーパタオル７Ａが下方へと引出し操作される。ペーパタオルホルダ１においては、最下部ペーパタオル７Ａが上部のペーパタオル７を添着させながら、本体２の収納空間部９内から引出し口１６を介して引出し空間部３１に引き出される。ペーパタオルホルダ１においては、ペーパタオル７Ａがその全長分を引出し空間部３１に引き出されると、上部のペーパタオル７との分離が行われる。
【００５７】
ペーパタオルホルダ１においては、上述した底面体３の構成により上部のペーパタオル７が最下部ペーパタオル７Ａに添着してその先端部を引出し口１６に導かれてスムーズに引き出されるとともに、受け台５の各側方立壁部２７の前面壁２７ＬＡ、２７ＲＡ上に保持される。ペーパタオルホルダ１においては、最下部ペーパタオル７Ａが安定した状態で引き出されることにより上部のペーパタオル７も幅方向に展開した状態で引出し空間部３１に引き出され、引出し口１６においてジャム等の発生が防止される。
【００５８】
ペーパタオルホルダ１においては、ペーパタオル積層体８を収納した本体２の収納空間部９に対して下方側からペーパタオル７の引出し操作を行う。ペーパタオルホルダ１においては、使用者が濡れた手でペーパタオル７の引出し操作を行っても、垂れ落ちる水等により収納空間部９内に収納した未使用のペーパタオル７が汚損されることも無く清潔かつ安全に使用することが可能である。ペーパタオルホルダ１においては、収納空間部９が略密閉された空間部であるとともに天井部に隙間が無い構造であることから埃等の侵入を抑制して未使用のペーパタオル７が清潔に保持されるようにする。
【００５９】
ペーパタオルホルダ１においては、ペーパタオル７を引出し操作する際に、本体２に対して前面側への力が作用される。ペーパタオルホルダ１においては、引出し空間部３１を構成する受け台５の各側方立壁部２７を本体２の前面よりも前面側へと突出させるとともにそれぞれの前面壁２７ＬＡ、２７ＲＡを円弧状に形成し、さらに保持凸部３０により引出し口１６の前面側部位まで保持することにより本体２に対する引出し力の負荷が分散されるようになる。ペーパタオルホルダ１においては、本体２の底部に引出し空間部３１を構成することにより広い場所を占有することも無く設置することが可能であるとともに、安定した状態で使用することが可能である。
【００６０】
なお、実施の形態として示したペーパタオルホルダ１においては、本体２の底面壁２Ａに開口して組合せ開口部１１を形成し、この組合せ開口部１１に収納空間部９の底面部を構成するようにして引出し口１６を形成した底面体３を組み合わせたが、かかる構成に限定されないことは勿論である。ペーパタオルホルダ１は、金型構造が複雑とはなるが、本体２の底面壁２Ａに例えば直接引出し口１６や補強リブ１９等を一体に形成するようにしてもよい。
【図面の簡単な説明】
【００６１】
【図１】本考案の実施の形態として示すペーパタオルホルダの斜視図である。
【図２】扉体を開いた状態のペーパタオルホルダの斜視図である。
【図３】内部構造を省略して示すペーパタオルホルダの断面図である。
【図４】ペーパタオルホルダの分解斜視図である。
【図５】本体の斜視図である。
【図６】本体の正面図である。
【図７】本体の断面図である。
【図８】底面体の斜視図である。
【図９】底面体の中央断面図である。
【図１０】底面体の断面図である。
【図１１】収納空間部に組み合わされる間隔保持部材の説明図であり、同図（Ａ）は大型サイズのペーパタオル積層体を用いる場合の説明図、同図（Ｂ）は小型サイズのペーパタオル積層体を用いる場合の説明図である。
【図１２】受け台の斜視図である。
【図１３】受け台の側面図である。
【図１４】受け台の断面図である。
【図１５】底面体との組み合わせ構造を説明する受け台の平面図である。
【符号の説明】
【００６２】
１  ペーパタオルホルダ、２  本体、３  底面体、４  扉体、５  受け台、６  滑止め体、７  ペーパタオル、８  ペーパタオル積層体、９  収納空間部、１０  装填開口部、１１  組合せ開口部、１６  引出し口、１９  補強リブ、２０  切欠き、２１  間隔保持部材、２５  残量識別部、２６  取付立壁部、２７  側方立壁部、３０  保持凸部、３１  引出し空間部
【図１】
0003137582.tif 000003
【図２】
0003137582.tif 000004
【図３】
0003137582.tif 000005
【図４】
0003137582.tif 000006
【図５】
0003137582.tif 000007
【図６】
0003137582.tif 000008
【図７】
0003137582.tif 000009
【図８】
0003137582.tif 000010
【図９】
0003137582.tif 000011
【図１０】
0003137582.tif 000012
【図１１】
0003137582.tif 000013
【図１２】
0003137582.tif 000014
【図１３】
0003137582.tif 000015
【図１４】
0003137582.tif 000016
【図１５】
0003137582.tif 000017